【手続補正書】
【提出日】令和2年5月14日(2020.5.14)
【手続補正１】
【補正対象書類名】特許請求の範囲
【補正対象項目名】全文
【補正方法】変更
【補正の内容】
【特許請求の範囲】
【請求項１】
１０００ナノメートル未満の平均径を有するナノファイバーに紡糸された３０〜３００の相対粘度を有するポリアミドを含み、１ｇｍ／ｍ２より大きい目付を有する不織布製品に成形されているナノファイバー不織布製品。
【請求項２】
前記ポリアミドがナイロン６，６である、請求項１に記載のナノファイバー不織布製品。
【請求項３】
前記ポリアミドが、ナイロン６，６とナイロン６のコポリマー、ブレンド、或いはアロイである、請求項１に記載のナノファイバー不織布製品。
【請求項４】
前記ナノファイバー不織布製品が、１０ＣＦＭ／ｆｔ２未満の５ＧＳＭ規格化通気度値を有する、請求項１に記載のナノファイバー不織布製品。
【請求項５】
前記ポリアミドが４０〜５２．５の相対粘度を有する、請求項１に記載のナノファイバー不織布製品。
【請求項６】
前記ナノファイバーが２５０〜３２５ナノメートルの平均径を有する、請求項１に記載のナノファイバー不織布製品。
【請求項７】
前記不織布製品が３０ＧＳＭ以下の目付を有する、請求項１に記載のナノファイバー不織布製品。
【請求項８】
衣服中に組み込まれている、請求項１に記載のナノファイバー不織布製品。
【請求項９】
履物中に組み込まれている、請求項１に記載のナノファイバー不織布製品。
【請求項１０】
ナノファイバー不織布製品の製造方法であって、
（ａ）好適な溶媒中のポリアミドの溶液を含む紡糸可能なポリアミドポリマー組成物を与えること、ここで前記ポリアミドは３０〜３００の相対粘度を有する；
（ｂ）前記ポリアミドポリマー組成物を１ミクロン（１０００ナノメートル）未満の平均繊維径を有する複数のナノファイバーに溶液紡糸すること；及び
（ｃ）前記ナノファイバーを、結果として１０００ナノメートル未満の平均ナノファイバー径を有し、そして
（ｄ）１ｇｍ／ｍ２より大きい目付を有する前記不織布製品に成形すること；
を含む上記方法。
【請求項１１】
ポリアミドを溶液紡糸することが、（ｉ）回転紡糸口金を用いる遠心紡糸；又は（ｉｉ）液体形態のポリアミドポリマー組成物を、加圧ガスを用いて繊維形成チャネルを通して押出すことを含む２相噴射剤ガス紡糸；から選択される、請求項１０に記載のナノファイバー不織布製品の製造方法。
【請求項１２】
前記溶媒が、ギ酸、硫酸、トリフルオロ酢酸、ヘキサフルオロイソプロパノール（ＨＦＩＰ）、及びｍ−クレゾールを含むフェノール類から選択される溶媒を含む、請求項１０に記載のナノファイバー不織布製品の製造方法。
【請求項１３】
前記ポリアミドが４０〜５２．５の相対粘度を有する、請求項１０に記載のナノファイバー不織布製品の製造方法。
【請求項１４】
前記ナノファイバーが１００〜５００ナノメートルの径を有する、請求項１０に記載のナノファイバー不織布製品の製造方法。
【請求項１５】
前記不織布製品が３０ＧＳＭ以下の目付を有する、請求項１０に記載のナノファイバー不織布製品の製造方法。
【手続補正２】
【補正対象書類名】明細書
【補正対象項目名】００６８
【補正方法】変更
【補正の内容】
【００６８】
本発明を詳細に記載したが、発明の精神及び範囲内の修正は当業者には容易に明らかであろう。かかる修正も本発明の一部とみなすべきである。上記の議論、当該技術における関連する知識、及び発明の背景に関連して上記で議論した参照文献（これらの開示事項は全て参照として本明細書中に包含する）を考慮すると、更なる記載は不要であると考えられる。更に、本発明の複数の形態並びに種々の態様の複数の部分を、完全か又は部分的のいずれかで結合又は交換することができることは、上記の議論から理解されるべきである。更に、当業者であれば、上記の記載は例示のみの目的であり、本発明を限定することは意図しないことを認識するであろう。
本発明は以下の実施態様を含む。
（１）１０００ナノメートル未満の平均径を有するナノファイバーに紡糸された３０〜３００の相対粘度を有するポリアミドを含み、１ｇｍ／ｍ２より大きい目付を有する不織布製品に成形されているナノファイバー不織布製品。
（２）前記ポリアミドがナイロン６，６である、（１）に記載のナノファイバー不織布製品。
（３）前記ポリアミドが、ナイロン６，６とナイロン６のコポリマー、又はブレンド、或いはアロイである、（１）に記載のナノファイバー不織布製品。
（４）前記ポリアミドが高温ナイロン（ＨＴＮ）である、（１）に記載のナノファイバー不織布製品。
（５）前記ポリアミドが、Ｎ６、Ｎ６Ｔ／６６、Ｎ６１２、Ｎ６／６６、Ｎ１１、Ｎ１２など（ここで、「Ｎ」はナイロンを意味する）のような長鎖脂肪族ナイロンである、（１）〜（４）のいずれかに記載のナノファイバー不織布製品。
（６）前記ナノファイバー不織布製品が、１０ＣＦＭ／ｆｔ２未満の５ＧＳＭ規格化通気度値を有する、（１）〜（５）のいずれかに記載のナノファイバー不織布製品。
（７）前記ナノファイバー不織布製品が３〜８ＣＦＭ／ｆｔ２の５ＧＳＭ規格化通気度値を有する、（１）〜（６）のいずれかに記載のナノファイバー不織布製品。
（８）前記ナノファイバー不織布製品が３〜７ＣＦＭ／ｆｔ２の５ＧＳＭ規格化通気度値を有する、（１）〜（７）のいずれかに記載のナノファイバー不織布製品。
（９）前記ナノファイバー不織布製品が３．４〜７．２ＣＦＭ／ｆｔ２の５ＧＳＭ規格化通気度値を有する、（１）〜（８）のいずれかに記載のナノファイバー不織布製品。
（１０）前記ポリアミドが３５〜２５５の相対粘度を有する、（１）〜（９）のいずれかに記載のナノファイバー不織布製品。
（１１）前記ポリアミドが３５〜５５の相対粘度を有する、（１）〜（１０）のいずれかに記載のナノファイバー不織布製品。
（１２）前記ポリアミドが３５〜５０の相対粘度を有する、（１）〜（１１）のいずれかに記載のナノファイバー不織布製品。
（１３）前記ポリアミドが４０〜５２．５の相対粘度を有する、（１）〜（１２）のいずれかに記載のナノファイバー不織布製品。
（１４）前記ナノファイバーが１００〜５００ナノメートルの平均径を有する、（１）〜（１３）のいずれかに記載のナノファイバー不織布製品。
（１５）前記ナノファイバーが２００〜４００ナノメートルの平均径を有する、（１）〜（１４）のいずれかに記載のナノファイバー不織布製品。
（１６）前記ナノファイバーが２５０〜３２５ナノメートルの平均径を有する、（１）〜（１５）のいずれかに記載のナノファイバー不織布製品。
（１７）前記不織布製品が３０ＧＳＭ以下の目付を有する、（１）〜（１６）のいずれかに記載のナノファイバー不織布製品。
（１８）前記不織布製品が１〜３０ＧＳＭの目付を有する、（１）〜（１７）のいずれかに記載のナノファイバー不織布製品。
（１９）前記不織布製品が３〜３０ＧＳＭの目付を有する、（１）〜（１８）のいずれかに記載のナノファイバー不織布製品。
（２０）前記不織布製品が３〜１５ＧＳＭの目付を有する、（１）〜（１９）のいずれかに記載のナノファイバー不織布製品。
（２１）前記不織布製品が４〜１０ＧＳＭの目付を有する、（１）〜（２０）のいずれかに記載のナノファイバー不織布製品。
（２２）前記不織布製品が示されている成分から実質的に構成される、（１）〜（２１）のいずれかに記載のナノファイバー不織布製品。
（２３）フィルター媒体中に組み込まれている、（１）〜（２２）のいずれかに記載のナノファイバー不織布製品。
（２４）通気性布帛中に組み込まれている、（１）〜（２３）のいずれかに記載のナノファイバー不織布製品。
（２５）衣服中に組み込まれている、（１）〜（２３）のいずれかに記載のナノファイバー不織布製品。
（２６）履物中に組み込まれている、（１）〜（２３）のいずれかに記載のナノファイバー不織布製品。
（２７）消音層として用いられる、（１）〜（２３）のいずれかに記載のナノファイバー不織布製品。
（２８）医療用包帯又は医療用インプラント中に組み込まれている、（１）〜（２３）のいずれかに記載のナノファイバー不織布製品。
（２９）ナノファイバー不織布製品の製造方法であって、
（ａ）好適な溶媒中のポリアミドの溶液を含む紡糸可能なポリアミドポリマー組成物を与えること、ここで前記ポリアミドは３０〜３００の相対粘度を有する；
（ｂ）前記ポリアミドポリマー組成物を１ミクロン（１０００ナノメートル）未満の平均繊維径を有する複数のナノファイバーに溶液紡糸すること；及び
（ｃ）前記ナノファイバーを、結果として１０００ナノメートル未満の平均ナノファイバー径を有し、そして
（ｄ）１ｇｍ／ｍ２より大きい目付を有する前記不織布製品に成形すること；
を含む上記方法。
（３０）ポリアミドを溶液紡糸することが、（ｉ）回転紡糸口金を用いる遠心紡糸；又は（ｉｉ）液体形態のポリアミドポリマー組成物を、加圧ガスを用いて繊維形成チャネルを通して押出すことを含む２相噴射剤ガス紡糸；から選択される、（２９）に記載のナノファイバー不織布製品の製造方法。
（３１）前記溶媒が、ギ酸、硫酸、トリフルオロ酢酸、ヘキサフルオロイソプロパノール（ＨＦＩＰ）、及びｍ−クレゾールを含むフェノール類から選択される溶媒を含む、（２９）又は（３０）に記載のナノファイバー不織布製品の製造方法。
（３２）前記溶媒がギ酸を含む、（３１）に記載のナノファイバー不織布製品の製造方法。
（３３）前記ナノファイバーを移動ベルト上で集積することによって前記不織布を形成する、（２９）に記載のナノファイバー不織布製品の製造方法。
（３４）回転紡糸口金を用いる遠心紡糸によって前記ポリアミドポリマー組成物をナノファイバーに紡糸する、（２９）〜（３３）に記載のナノファイバー不織布製品の製造方法。
（３５）前記紡糸口金を２，５００〜１５，０００ＲＰＭの回転速度で回転させる、（３４）に記載のナノファイバー不織布製品の製造方法。
（３６）前記紡糸口金を５，０００〜１０，０００ＲＰＭの回転速度で回転させる、（３５）に記載のナノファイバー不織布製品の製造方法。
（３７）前記ポリアミド組成物がナイロン６，６を含む、（２９）〜（３６）のいずれかに記載のナノファイバー不織布製品の製造方法。
（３８）前記ポリアミド組成物が、ナイロン６，６とナイロン６のブレンド、又はコポリマー、或いはアロイを含む、（２９）〜（３７）のいずれかに記載のナノファイバー不織布製品の製造方法。
（３９）前記ポリアミドがＨＴＮを含む、（２９）〜（３８）のいずれかに記載のナノファイバー不織布製品の製造方法。
（４０）前記ポリアミドが、Ｎ６、Ｎ６Ｔ／６６、Ｎ６１２、Ｎ６／６６、Ｎ１１、Ｎ１２など（ここで、「Ｎ」はナイロンを意味する）のような長鎖脂肪族ナイロンを含む、（２９）〜（３８）のいずれかに記載のナノファイバー不織布製品の製造方法。
（４１）前記ポリアミドが３５〜２５５の相対粘度を有する、（２９）〜（４０）のいずれかに記載のナノファイバー不織布製品の製造方法。
（４２）前記ポリアミドが３５〜５５の相対粘度を有する、（２９）〜（４０）のいずれかに記載のナノファイバー不織布製品の製造方法。
（４３）前記ポリアミドが４０〜５２．５の相対粘度を有する、（２９）〜（４２）のいずれかに記載のナノファイバー不織布製品の製造方法。
（４４）前記ナノファイバーが１００〜５００ナノメートルの径を有する、（２９）〜（４３）のいずれかに記載のナノファイバー不織布製品の製造方法。
（４５）前記ナノファイバーが２００〜４００ナノメートルの径を有する、（３１）〜（４４）のいずれかに記載のナノファイバー不織布製品の製造方法。
（４６）前記ナノファイバーが２００〜３２５ナノメートルの径を有する、（２９）〜（４５）のいずれかに記載のナノファイバー不織布製品の製造方法。
（４７）前記不織布製品が３０ＧＳＭ以下の目付を有する、（２９）〜（４６）のいずれかに記載のナノファイバー不織布製品の製造方法。
（４８）前記不織布製品が１〜３０ＧＳＭの目付を有する、（２９）〜（４７）のいずれかに記載のナノファイバー不織布製品の製造方法。
（４９）前記不織布製品が３〜３０ＧＳＭの目付を有する、（２９）〜（４８）のいずれかに記載のナノファイバー不織布製品の製造方法。
（５０）前記不織布製品が３〜１５ＧＳＭの目付を有する、（２９）〜（４９）のいずれかに記載のナノファイバー不織布製品の製造方法。
（５１）前記不織布製品が４〜１０ＧＳＭの目付を有する、（２９）〜（５０）のいずれかに記載のナノファイバー不織布製品の製造方法。